(57)【要約】      （修正有）【課題】畳の暑さに関わらず和室の機能を残して岩盤浴ベッドのスペースも確保できる和室用岩盤浴ベッドを提供する。【解決手段】厚さ５５ｍｍの畳スペースの４０ｍｍを使って和室用岩盤浴ベッドを作る。２．５ｍｍ合板の上に２０ｍｍ断熱材、２．５ｍ合板、０．５ｍｍ遠赤外線シート８、２．５ｍｍ合板、１２ｍｍの岩盤４を載せ和室用岩盤浴ベットが完成する。和室として活用する時は岩盤の上に１５ｍｍの厚さの薄畳を載せると和室として活用できる。畳３と岩盤浴ベットの高さに１５ｍｍの段差が生じているが、頭を温めてはいけない為、隣の畳を枕替わりすれば高さの差が有効となる。岩盤４は３００ｍｍ×３００ｍｍの大きさで横に６枚、縦に２枚、計１２枚並べ、畳との寸法の差を木製寸法調整ガイド５にて調節する。【選択図】図２
0003206082.tif 000002
【実用新案登録請求の範囲】
【請求項１】
和室内の畳の下に埋め込まれている岩盤と、岩盤の下側に配置された熱源とを備えていることを特徴とする和室用岩盤浴ベッド。
【請求項２】
和室内の畳が収容されるスペースに、畳に替えて設置された岩盤を備え、岩盤の下側に配置された熱源を備えていることを特徴とする和室用岩盤浴ベッド。
【請求項３】
前記熱源は、遠赤外線シートであることを特徴とする請求項１又は２に記載の和室用岩盤浴ベッド。
【請求項４】
前記畳は半帖畳であることを特徴とする請求項１〜３のいずれかに記載の和室用岩盤浴ベッド。
【請求項５】
前記岩盤は押入れの近くに配置されることを特徴とする請求項１〜４のいずれかに記載の和室用岩盤浴ベッド。
【考案の詳細な説明】
【技術分野】
【０００１】  工務店が施主の依頼により新築やリフォームの際に自宅に施工する和室用岩盤浴ベッドに関する。
【背景技術】
【０００２】  現在はベッドタイプか床置きタイプの岩盤浴ベッドが販売されていて設置スペースの確保が普及の妨げとなっている為、和室用岩盤浴ベッドにより、その課題を解決する。
【先行技術文献】
【０００３】
【特許文献１】  特開２００７−１１７６８２
【考案の概要】
【考案が解決しようとする課題】
【０００４】  癌患者やアレルギー疾患の増加の原因の一つに体温の低下が言われており、その対策には体を温めることが必要だが、サウナや入浴は心臓に負担が掛かる為、体力が弱くなっている高齢者や持病のある方には岩盤浴が効果的だと思われる。しかし、市販の岩盤浴ベッドは長さ約２ｍ、幅約７５ｃｍ、高さ約７ｃｍ以上という形状の為、床に置くと室内での歩行の妨げになり、転倒事故の原因となる。【０００５】  又、脚を付けてベッドのような高さにする岩盤浴ベッドも販売されているが、幅が狭くベッドの代用にはならず、設置場所の確保が困難で普及の妨げとなっている。【０００６】  殆どの住宅に客間として一部屋は和室を設けているが、和室を利用する機会が少なく物置と化しているケースも多く見受けられる。【０００７】  本考案はこのような問題を解決する為になされたもので、居住空間でのスペースの確保を可能にすることで和室用岩盤浴ベッドを提供することを目的とする。
【課題を解決する為の手段】
【０００８】  以上の課題を解決するために、本考案の和室用岩盤浴ベッドは、和室内の畳の下に埋め込まれた岩盤と岩盤の下側に配置された熱源とを備えていることを特徴とする。それによって岩盤浴ベットを設置する為に新たにスペースを確保する必要がなく普及を阻害する要因を排除できる。
【０００９】  又、本考案の和室用岩盤浴ベッドは和室内の畳が収容されるスペースに畳に替えて配置された岩盤を備え、岩盤の下側に配置された熱源を備えていることを特徴とする。それによって現在普及しているバリアフリー住宅に使われる１５ｍｍ厚の薄畳の住宅においても和室用岩盤浴ベッドが設置できる。
【００１０】  本考案の和室用岩盤浴ベッドは岩盤の下側に設けられた遠赤外線シートを備えていることを特徴とする。それによって遠赤外線シートの０．５ｍｍ厚の薄さにより、スペースを取らずシート全体にムラなく岩盤を温めることができる。
【００１１】  本考案の和室用岩盤浴ベッドの畳は半帖畳であることを特徴とする。半帖畳にすることで、岩盤浴ベッド使用時は押入に収納することができるので、和室内に畳を立てかけて置く見苦しさもない。
【００１２】  本考案の和室用岩盤浴ベッドは押入れ近く配置されることを特徴とする。それによって畳の収納や取り出し、及び岩盤と畳の交換を楽にでき、重い岩盤を運ぶ必要がない。又、通常押入れは和室の奥に配置されている為、歩行の妨げにならない。
【考案の効果】
【００１３】  かなりの割合で住まいに存在する和室の畳１帖を利用する和室用岩盤浴ベットにより、設置スペースの確保が可能となり、毎日でも自宅で岩盤浴ができるので、高齢者や持病のある方でも容易に体を温めて免疫力を向上させ、健康に暮らせる。
【００１４】  和室は日常生活ではあまり使われず、物置となっている場合が多く、和室の有効活用としても和室用岩盤浴ベッドの考案の効果として上げられる。
【図面の簡単な説明】
【図１】  和室用岩盤浴ベットを設置した図である。
【図１−ａ】  和室用岩盤浴ベットの図である。
【図１−ｂ】  岩盤浴ベットを利用している図である。
【図２】  岩盤浴ベッドの断面図である。
【図２−ａ】  従来の畳の厚さ５５ｍｍの和室に設置する際の断面図である。
【図２−ｂ】  バリアフリー用薄畳の厚さ１５ｍｍの和室に設置する際の断面図である。
【図３】  和室用岩盤浴ベットを使用しない時に和室の状態にした図である。
【考案を実施するための形態】
【００１５】  請求項１の実施形態は、図２‐ａの従来の厚さ５５ｍｍの畳スペースの４０ｍｍを使って和室用岩盤浴ベッドを作る。２．５ｍｍ合板の上に２０ｍｍ断熱材（スタイロフォーム）、２．５ｍ合板、０．５ｍｍ遠赤外線シート、２．５ｍｍ合板、１２ｍｍの岩盤を載せ和室用岩盤浴ベットが完成する。和室として活用する時は岩盤の上に１５ｍｍの厚さの薄畳を載せると和室として活用できる。
【００１６】  図２‐ａでは畳（３）と岩盤浴ベットの高さに１５ｍｍの段差が生じているが、頭を温めてはいけない為、図１‐ｂの様に隣の畳を枕替わりすれば高さの差が有効となる。
【００１７】  岩盤（４）は３００ｍｍ×３００ｍｍの大きさで横に６枚、縦に２枚、計１２枚並べ（図１‐ａ）、畳との寸法の差を木製寸法調整ガイド（５）にて調節する。
【００１８】  請求項２の実施形態は、図２‐ｂのバリアフリー対応の厚さ１５ｍｍのスペースに和室用岩盤浴ベットを作る。０．５ｍｍ遠赤外線シートの上に２．５ｍｍ合板、１２ｍｍ岩盤を載せて和室用岩盤浴ベッドが完成する。和室として利用する場合は岩盤（４）＋木製寸法調整ガイド（５）と厚さ１２ｍｍ薄畳との入れ替えにより和室として使える。
【００１９】  請求項３の実施形態は図２‐ｂの薄畳の厚さの範囲で熱源を設置する為に厚さ０．５ｍｍの遠赤外線シート（８）を活用して岩盤浴ベッドを作るものとする。
【００２０】  請求項４の実施形態は、岩盤浴ベッドを使う際には畳を取り外す為、取り外した畳の収納が問題になり、押入れ（１）に収納できる様に畳は半帖２枚（１０）にすることで、取り外しや設置作業も容易にする。
【００２１】  又、請求項４の半帖畳（１０）は床暖房用畳とすることで、畳を置いた状態（図３）でも遠赤外線シートを活用して床暖房も活用可能となる。
【００２２】  請求項５の実施形態は、図２‐ｂの場合で畳（１０）と岩盤（４）を交換する際に岩盤（４）１枚約３ｋｇを１２枚一度に重ねて運ぶのは困難な為、外すと同時に収納できるように岩盤浴ベッドの設置は押入れ（１）の近くに配置する。（図１）
【００２３】  今後、高齢化の進行により医療費の負担が増大することが懸念されるが、岩盤浴ベッドの普及により、遠赤外線効果で体温を押し上げることで免疫力の向上に努めて、健康で長生きできる社会の実現を目指したい。
【図１】
0003206082.tif 000003
【図２】
0003206082.tif 000004
【図３】
0003206082.tif 000005